(57)【要約】【課題】  架台内発熱量が増加してもＸ線検出器等の架台内部機器を所定温度以下に保つ冷却構造を有するＸ線ＣＴ装置を提供する。【解決手段】  Ｘ線ＣＴ装置は、Ｘ線管、Ｘ線管冷却器ファン、及びＸ線検出器を備えた円筒状の回転体と、被検者を載置し上記回転体内を上記回転体の回転軸線方向に沿って移動可能な寝台と、上記回転体を支持する支持体と、上記回転体及び支持体を収容する架台と、該架台の上側より排気するための排気ファンと、を有し、上記排気ファンの羽根車外径が描く円の面積は、上記Ｘ線管冷却器ファンの排気面の面積よりも大きく、且つ、上記排気ファンの回転中心は、上記回転体の回転軸線方向に沿って、上記Ｘ線管冷却器ファンの排気面の投影面内に配置されている。【選択図】  図１
2006181187.tif 000002
【特許請求の範囲】
【請求項１】
Ｘ線管、Ｘ線管冷却器ファン、及びＸ線検出器を備えた回転体と、被検者を載置し上記回転体内を上記回転体の回転軸線方向に沿って移動可能な寝台と、上記回転体を支持する支持体と、上記回転体及び支持体を収容する架台と、該架台の上側より排気するための排気ファンと、を有するＸ線ＣＴ装置において、
上記排気ファンの羽根車外径が描く円の面積は、上記Ｘ線管冷却器ファンの排気面の面積よりも大きく、且つ、上記排気ファンの回転中心は、上記回転体の回転軸線方向に沿って、上記Ｘ線管冷却器ファンの排気面の投影面内に配置されていることを特徴とするＸ線ＣＴ装置。
【請求項２】
Ｘ線管、複数のＸ線管冷却器ファン、及びＸ線検出器を備えた回転体と、被検者を載置し上記回転体内を上記回転体の回転軸線方向に沿って移動可能な寝台と、上記回転体を支持する支持体と、上記回転体及び支持体を収容する架台と、該架台の上側より排気するための排気ファンと、を有するＸ線ＣＴ装置において、
上記排気ファンの羽根車外径が描く円の面積は、上記複数のＸ線管冷却器ファンの排気面の面積の総和よりも大きく、且つ、上記排気ファンの回転中心は、上記回転体の回転軸線方向に沿って、上記Ｘ線管冷却器ファンの排気面の総和の投影面内に配置されていることを特徴とするＸ線ＣＴ装置。
【請求項３】
上記Ｘ線管、Ｘ線管冷却器ファン、及びＸ線検出器が設けられた側と反対側にて、上記支持体の側面と上記架台の側面の間に、下から上への通風を阻害する構造を設けることを特徴とした請求項１又は２記載のＸ線ＣＴ装置。
【請求項４】
上記排気ファンを上記支持体の天井部に固定し、上記排気ファンの外周と上記架台の間をシールすることを特徴とした請求項１又は２記載のＸ線ＣＴ装置。
【請求項５】
上記架台の内部に温度検出装置を設置し、上記温度検出装置によって検出した上記架台内部の温度に応じて上記排気ファンの回転数を制御することを特徴とした請求項１又は２記載のＸ線ＣＴ装置。
【発明の詳細な説明】
【技術分野】
【０００１】
本発明はＸ線ＣＴ装置に関し、特に、Ｘ線ＣＴ装置の架台内部で発生した熱を排気する技術に関する。
【背景技術】
【０００２】
図９、図１０及び図１１を参照して特許文献１に記載された従来のＸ線ＣＴ装置を説明する。Ｘ線ＣＴ装置は、被検者１を載せるための寝台２、寝台昇降部２０、回転体１０、回転体駆動手段１１、回転体１０を支持固定する支持体４３、回転体１０及び支持体４３を収容する架台１４、を有する。回転体１０は、被検者１を頭部から挿入する開口部３９を有し、その外周部に、Ｘ線管３、Ｘ線検出器４、Ｘ線管冷却器５、高電圧発生装置６、Ｘ線制御装置７、Ｘ線検出器４の出力を増幅するアンプ８、第１の電装品９、が装着されている。架台１４には、第２及び第３の電装品１２、１３、８個の排気ファン１５ａ〜１５ｈ、架台前面カバー１８、架台前面カバー固定部１９、架台吸気口２１ａ、２１ｂ、が設けられている。Ｘ線管冷却器５は、ポンプ４０、熱交換器４１、及び、４個の冷却器ファン４２ａ〜４２ｄを有する。
【０００３】
排気ファン１５ａ〜１５ｈ、架台吸気口２１ａ、２１ｂ、冷却器ファン４２ａ〜４２ｄのように同一機能のもので複数設置されるものについては小文字のアルファベットを数字の後に付して示す。以下、同一機能のものには同一符号を付して説明を省略する。
【０００４】
回転体１０は、回転体駆動手段１１により、回転軸線Ａ−Ａ周りに、例えば０．４〜１．０秒に１回転の速さで高速に回転する。この時、寝台２は、被検者１の頭部が先頭となり、回転体１０の開口部３９内を回転軸線Ａ−Ａ方向に沿って、一定速度で移動する。従って、回転体１０に装着されたＸ線管３及びＸ線検出器４は、被検者１の外周を回転しながら、被検者１を螺旋状に、Ｘ線撮影する。
【０００５】
Ｘ線管３によって照射されたＸ線は、被検者１を透過し、Ｘ線検出器４により検出される。検出したＸ線信号はコンピュータで画像処理され、被検者１の断層写真が得られる。Ｘ線検出器４は温度依存性を有するため、温度を図示しない温度調節装置で一定に保ち、周囲温度の変化によるＸ線検出感度の変化を防止している。より具体的には、図示しないヒータで加熱することで、室温よりは高く、周囲の予想される最高温度、例えば３５℃程度に保たれている。
【０００６】
一方、Ｘ線発生時に入力されるエネルギのうち、Ｘ線として利用されるのは１％程度であり、残りはＸ線管３内部で熱に変換される。この熱の大部分はＸ線管から絶縁油を介してポンプ４０でＸ線冷却器５に運ばれ、Ｘ線冷却器５において架台１４内部の空気に放散される。Ｘ線冷却器５等の架台内部の機器から発生した熱は、架台の天井部に設けられた排気ファン１５ａ〜１５ｈにより架台外部に排気され、架台１４内部の過度の温度上昇を防止する。
【０００７】
従来のＸ線ＣＴ装置では、架台１４内の温度上昇を抑えるために、小型の排気ファン１５を多数個設置して、排気風量を増加させている。例えば、図９、図１０及び図１１に示す例では、前列の４個の排気ファン１５ａ、１５ｂ、１５ｄ、１５ｅと後列の４個の排気ファン１５ｃ、１５ｆ、１５ｈ、１５ｇが設けられている。図９に示すように、前列の排気ファン１５ａ、１５ｂ、１５ｄ、１５ｅの回転中心Ｚ１は、Ｘ線管冷却器５の排気面群（図中ハッチングで示す）上に配置されているが、後列の排気ファン１５ｃ、１５ｆ、１５ｈ、１５ｇの回転中心Ｚ２は、Ｘ線管冷却器５の排気面群より後部方向にずれた位置に設置される。従って、Ｘ線管冷却器５からの排熱気は主として前列の排気ファン１５ａ、１５ｂ、１５ｄ、１５ｅによって、排気される。
【０００８】
図１１に示すように、架台前部吸気口２１ａから架台１４内に導入された空気は、回転体１０の前側部を通り前列の排気ファン１５ａ、１５ｂ、１５ｄ、１５ｅによって排気される。一方、架台後部吸気口２１ｂから架台１４内に導入された空気は、回転体１０の後側部を通り後列の排気ファン１５ｃ、１５ｆ、１５ｈ、１５ｇによって排気される。ところが、熱源となる機器は架台１４の前側に配置されている。従って、前列の排気ファン１５ａ、１５ｂ、１５ｄ、１５ｅによって排出される空気は、架台１４内の熱源となる機器の間を通過した空気と、Ｘ線管冷却器５から排気された空気を含むため、比較的、温度が高くなる。しかしながら、後列の排気ファン１５ｃ、１５ｆ、１５ｈ、１５ｇによって排出される空気は、矢印にて示すように、熱源となる機器の間を通過しないから、比較的温度が低くなる。
【０００９】
【特許文献１】特開平10-234722号公報（第11頁、図1）
【発明の開示】
【発明が解決しようとする課題】
【００１０】
近年、Ｘ線ＣＴ装置の機能向上、使用方法の多様化に対応するために、Ｘ線管の容量が急速に大きくなり、それに伴って発熱量が増大して、撮影条件によっては連続撮影を行う場合に、従来の冷却方法では不十分となるおそれが生じている。架台内部の温度が過度に上昇すると、Ｘ線管の冷却時間の増加を招き、Ｘ線ＣＴ装置の運転効率が低下することが懸念される。またＸ線検出器の温度が温度制御の設定温度以上に上昇して、検出感度が均一でなくなり、リング状の擬像（アーチファクト）が生じることも懸念される。Ｘ線検出器の設定温度を周囲温度に合わせて上げることは、検出器の温度依存性から検出感度の低下につながるため得策ではなく、検出器周囲を含めた架台内部温度の上昇を防止することが望まれる。
【００１１】
本発明の目的は、大容量Ｘ線管を搭載し、架台内部の発熱量が増加しても、架台内部の過度の温度上昇を防止して、安定した撮影を実現するＸ線ＣＴ装置を提供することにある。
【課題を解決するための手段】
【００１２】
本発明によると、Ｘ線ＣＴ装置は、Ｘ線管、Ｘ線管冷却器ファン、及びＸ線検出器を備えた回転体と、被検者を載置し上記回転体内を上記回転体の回転軸線方向に沿って移動可能な寝台と、上記回転体を支持する支持体と、上記回転体及び支持体を収容する架台と、該架台の上側より排気するための排気ファンと、を有する。
【００１３】
本発明によると、更に、上記排気ファンの羽根車外径が描く円の面積は、上記Ｘ線管冷却器ファンの排気面の面積よりも大きく、且つ、上記排気ファンの回転中心は、上記回転体の回転軸線方向に沿って、上記Ｘ線管冷却器ファンの排気面の投影面内に配置されている。
【発明の効果】
【００１４】
本発明によると、架台内部の過度の温度上昇を防止して、安定した撮影を実現するＸ線ＣＴ装置を提供することができる。
【発明を実施するための最良の形態】
【００１５】
以下、本発明の実施に係る形態を図面を参照して説明する。図１及び図２を参照して本発明によるＸ線ＣＴ装置の第１の例を説明する。図１は第１の例の側面断面図であり、図２は正面断面図である。
【００１６】
本例のＸ線ＣＴ装置は、被検者１を載せるための寝台２、寝台昇降部２０、回転体１０、回転体駆動手段１１、回転体１０を支持固定する支持体４３、回転体１０及び支持体４３を収容する架台１４、を有する。回転体１０は、被検者１を頭部から挿入する開口部３９を有し、その外周部に、Ｘ線管３、Ｘ線検出器４、Ｘ線管冷却器５、高電圧発生装置６、Ｘ線制御装置７、Ｘ線検出器４の出力を増幅するアンプ８、第１の電装品９、が装着されている。架台１４には、第２及び第３の電装品１２、１３、２個の排気ファン１５ａ、１５ｂ、架台前面カバー１８、架台前部吸気口２１ａ、架台後部吸気口２１ｂ、が設けられている。
【００１７】
Ｘ線管冷却器５は、ポンプ４０、熱交換器４１、及び、冷却器ファン４２を有する。高電圧発生装置６は、後述のインバータの出力電圧を昇圧する高電圧トランス、このトランスの出力電圧を直流の高電圧に変換する高電圧整流器、及び、Ｘ線管のフィラメントを加熱する加熱トランス等を有する。Ｘ線制御装置７は、交流を直流に変換するコンバータ、このコンバータで変換された直流を高い周波数に変換するインバータ、コンバータ及びインバータを制御する制御装置等を有する。
【００１８】
回転体１０は、回転体駆動手段１１により、回転軸線Ａ−Ａ周りに、例えば０．４〜１．０秒に１回転の速さで高速に回転する。この時、寝台２は、被検者１の頭部が先頭となり、回転体１０の開口部３９内を回転軸線Ａ−Ａ方向に沿って、一定速度で移動する。従って、回転体１０に装着されたＸ線管３及びＸ線検出器４は、被検者１の外周を回転しながら、被検者１を螺旋状に、Ｘ線撮影する。
【００１９】
Ｘ線管３から照射された扇状のＸ線ビームは、被検者１を透過し、この透過Ｘ線信号はビームの方向に多数（例えば約１、０００個）のＸ線検出素子をアレイ状に配列した多チャンネルのＸ線検出器４により検出される。
【００２０】
Ｘ線発生に伴ってＸ線管３で発生した熱は、ポンプ４０による絶縁油等の冷却液の循環によりＸ線管冷却器５内の熱交換器４１に導かれ、冷却器ファン４２による通風冷却を受けて、架台１４内部に放散される。回転体１０が回転中には、回転しながらＸ線管冷却器５から熱が放散されるため、架台１４内部は攪拌が起き、均温化される。
【００２１】
回転体１０が回転中には、架台１４の天井部に設けられた２つの排気ファン１５ａ、１５ｂによって、架台１４内部で発生した熱を架台外部に排気する。一方、架台吸気口２１ａ、２１ｂから外気が架台１４内部に流入して、架台１４の冷却が行われる。図２に示すように、架台１４の天井部に設けられた一方の排気ファン１５ａはＸ線管冷却器５の上側に配置されている。回転体１０が停止中には、この排気ファン１５ａによって、Ｘ線管冷却器５からの熱の大半が放散される。
【００２２】
一般にＸ線ＣＴ装置の発熱量の大半はＸ線管３によって発生した熱であり、そのほとんどがＸ線管冷却器５から架台１４内部に放散されるため、架台１４内部の冷却を検討する上でＸ線管冷却器５からの排熱の処理方法が重要である。またＸ線管３以外の発熱体は、主に高電圧発生装置６やアンプ８等であるが、これらは、図１１を参照して説明したように、架台１４の前側に集中しているため、架台１４前側への有効な通風構造が望まれている。
【００２３】
Ｘ線管３が大容量化し、発熱量が増えると、架台１４内部の温度が上昇する。特に、Ｘ線検出器４は、均一に設定温度（例えば３５℃）になるように温度調節されているが、設定値を超えて温度が上昇するおそれがある。また回転体１０上の高電圧発生装置６やＸ線制御装置７等の他の機器も架台１４内温度が過度に上昇すると動作に影響を及ぼすことが懸念される。
【００２４】
以下に、本例のＸ線ＣＴ装置において、架台内部の過度の温度上昇を防止するための条件を考える。
【００２５】
一般に、排気ファンの形状が幾何学的に相似である場合には、排気ファンの風量はファンの羽根車直径Ｄ２の３乗に比例して増減する。従って、羽根車直径の小さい小型ファンを多数搭載するよりも、羽根車直径の大きなファンを少ない数搭載したほうが、同等以上の風量を低騒音で実現可能となる。そこで、本例では、Ｘ線管冷却器５には１個の冷却器ファン４２を設けている。
【００２６】
回転体１０が停止中には、排気ファン１５ａによって、Ｘ線管冷却器５の排熱気の大半を排出する必要がある。従って、第１の条件は、排気ファン１５ａの風量を、Ｘ線管冷却器ファン４２の風量よりも大きくすることである。
【００２７】
またＸ線管冷却器ファン４２からの排熱気は、排気ファン１５ａに到達するまでに、拡散して広がる。従って、広がった排熱気を排気ファン１５ａによって捕捉する必要がある。そこで、第２の条件は、排気ファン１５ａの羽根車外径の描く円の面積Ｓ２、ｔｏｐを、Ｘ線管冷却器ファン４２の羽根車外径が描く円の投影面積Ｓ２、ｒよりも大きくすることである。
Ｓ２、ｔｏｐ＞Ｓ２、ｒ                                              式（１）
（π／４）＊（Ｄ２、ｔｏｐ）２＞（π／４）＊（Ｄ２、ｒ）２            式（２）
【００２８】
ここで、Ｄ２、ｔｏｐは排気ファン１５ａの羽根車外径、Ｄ２、ｒはＸ線管冷却器ファン４２の羽根車外径である。
【００２９】
こうして本例では、排気ファン１５ａの羽根車外径の描く円の面積Ｓ２、ｔｏｐが、Ｘ線管冷却器ファン４２の羽根車外径が描く円の投影面積Ｓ２、ｒよりも大きくなるように構成されているため、架台１４内でＸ線管冷却器４２の排熱気を十分に架台１４の外部に排出することが可能となり、架台内部の過度な温度上昇を防止することができる。
【００３０】
さらに、第３の条件は、図１に示すように、回転体１０の回転軸線Ａ−Ａ方向に沿って、排気ファン１５ａ、１５ｂの回転中心Ｚが、Ｘ線管冷却器５の排気面の投影面Ｓ２、ｒ（図中ハッチングで示す）内に配置されるように、排気ファン１５ａ、１５ｂを設置することである。
【００３１】
こうして本例では、回転体１０の回転軸線Ａ−Ａ方向に沿って、排気ファン１５ａ、１５ｂの回転中心が、Ｘ線管冷却器５の排気面の投影面内に配置されるように構成することによって、熱源の集中する架台１４の前側に排気ファンが位置することになるとともに、後側部吸気口２１ｂから入って冷却に大きく寄与しないまま排気されていた流れが減少し、架台１４の冷却効果が増加する。
【００３２】
したがって大容量Ｘ線管を搭載し、架台内部の発熱量が増加しても、架台内部の過度の温度上昇を防止して安定した撮影を実現することができる。
【００３３】
図３、図４、図５を参照して本発明によるＸ線ＣＴ装置の第２の例を説明する。図３及び図４は、第２の例の側面断面図、図５は正面断面図である。本例では、Ｘ線管冷却器５は、４個の冷却器ファン４２ａ、４２ｂ、４２ｃ、４２ｄを搭載している。尚、ここでは、４個の冷却器ファンの大きさは同一であると仮定する。図５に示すように、Ｘ線管冷却器５の底部に冷却器ファン４２ａ、４２ｂ、４２ｃ、４２ｄが設けられ、Ｘ線管冷却器５の上面に排気口４２ｅが設けられ、熱交換器４１は排気口４２ｅ側に設けられていてもよい。この場合には、熱交換器４１は冷却器ファン４２ａ、４２ｂ、４２ｃ、４２ｄからの送風を直接受けることによって、排熱する。
【００３４】
第１の例と同様に、回転体１０が停止中には、一方の排気ファン１５ａによって、Ｘ線管冷却器５の排熱気の大半を排気する必要がある。従って、第１の条件は、排気ファン１５ａの風量を、４個のＸ線管冷却器ファン４２ａ、４２ｂ、４２ｃ、４２ｄの風量の合計よりも大きくすることである。また４個のＸ線管冷却器ファン４２ａ、４２ｂ、４２ｃ、４２ｄからの排熱気は、排気口４２ｅを介して排気ファン１５ａに到達するまでに、拡散して広がる。従って、広がった排熱気を排気ファン１５ａによって捕捉する必要がある。そこで、第２の条件は、排気ファン１５ａの羽根車外径の描く円の面積Ｓ２、ｔｏｐを、排気口４２ｅの投影面Ｓ３よりも大きくすることである。
Ｓ２、ｔｏｐ＝（π／４）＊（Ｄ２、ｔｏｐ）２＞Ｓ３              式（３）
【００３５】
ここで、Ｄ２、ｔｏｐは排気ファン１５ａの羽根車外径、Ｓ３は排気口４２ｅの面積である。
【００３６】
さらに、第１の例と同様に、第３の条件は、回転体１０の回転軸線Ａ−Ａ方向に沿って、排気ファン１５ａ、１５ｂの回転中心Ｚが、Ｘ線管冷却器５の排気口４２ｅの投影面Ｓ３内に配置されるように、排気ファン１５ａ、１５ｂを設置することである。
【００３７】
図６を参照して本発明によるＸ線ＣＴ装置の第３の例を説明する。本例では、回転体１０を支持する支持体４３と架台１４の後部カバーとの間に形成される隙間を遮蔽するように遮蔽板４４を設置する。また、本例のＸ線ＣＴ装置では、ベルトを介して回転体１０を駆動するベルトドライブ方式を使用する。本例のＸ線ＣＴ装置は、遮蔽板４４を設けていること及びベルトドライブ方式であること以外は、第２の例と同様である。
【００３８】
遮蔽板４４の機能を説明する。架台１４の後側面に形成された後部吸気口２１ｂから架台１４内に流入した空気は、天井部の排気ファン１５ａ、１５ｂによって排気される。遮蔽板４４を設けない場合には、後部吸気口２１ｂから架台１４内に流入した空気は、そのまま、架台１４の後側面に沿って上方に導かれるため、架台１４内の発熱源となる機器の間を通過することなく排気される。従って、架台１４内の発熱源となる機器を冷却することができない。しかしながら、本例のように、遮蔽板４４を設ける場合には、後部吸気口２１ｂから架台１４内に流入した空気は、遮蔽板４４によって進路を変更され、矢印にて示すように、架台１４の後側面から前側面に導かれて上方に導かれる。従って、天井部の排気ファン１５ａ、１５ｂによって排気される前に、架台１４内の発熱源となる機器の間を通過し、それらを効果的に冷却することができる。
【００３９】
尚、図６ではベルトドライブ方式のＸ線ＣＴ装置を例に説明したが、ダイレクトドライブ方式のＸ線ＣＴ装置であってもよい。ダイレクトドライブ方式のＸ線ＣＴ装置であっても、遮蔽板の配置等は基本的に変更する必要は無く、ベルトドライブ方式の場合と同様の冷却効果を得ることができる。
【００４０】
図７を参照して本発明によるＸ線ＣＴ装置の第４の例を説明する。本例では、回転体１０を支持固定する支持体４３が、回転体１０を跨ぐように、回転体１０の前側面から天井部を経て後側面まで延びている。排気ファン１５ａ、１５ｂは、支持体４３の天井部に形成された孔に装着され支持されている。こうして本例では、比較的重量が大きい大口径の排気ファンを用いることができる。ファンモータが大型化すると、モータの発生する振動が大きくなるという懸念がある。しかしながら、本例では、構造強度に十分な余裕のある支持材４３に排気ファン１５を装着するため、比較的電磁加振力の大きいモータを用いる場合であっても、振動やそれに伴う騒音を抑えることができる。
【００４１】
支持体４３の孔の形状及び寸法は、排気ファン１５ａ、１５ｂの外径の形状及び寸法と同一になるように形成される。一方、排気ファン１５ａ、１５ｂは、架台１４の天井部に形成された孔に配置されているが、排気ファン１５ａ、１５ｂの周囲にはシール材４６が設けられている。架台１４内からの空気が、排気ファン１５ａ、１５ｂ以外の部分から漏れることが防止される。更に、排熱気の逆流を防止し、冷却効果の低減を抑えることができる。シール材４６にはパッキン材を用いてもよいし、接着剤を用いてもよい。
【００４２】
図８を参照して本発明によるＸ線ＣＴ装置の第５の例を説明する。本例では、架台１４の内部の温度を検出するための温度検出手段２２と制御装置２３が設けられている。制御装置２３は、温度検出手段２２によって検出した架台内の温度に基づいて、排気ファンの回転速度を制御する。例えば、ある日の第１回目の撮影においては、架台内の温度は室温と同じ程度（例えば２８℃）であり、図１、及び図２に示す構造で排気ファン１５により架台内部を通風すると、図示しない温度調節機がＸ線検出器４の設定温度（例えば３５℃）を維持するように作用するが、室温が低い場合にはＸ線検出器４内の図示しないヒータの発熱量では温度を維持できないおそれがある。そこで、図８に示すように温度検出手段２２により架台内部温度を検出して、検出した温度に応じて制御装置２３により排気ファン１５の送風量を制御する。
【００４３】
排気ファン１５の送風量の制御方法としては、例えばＡＣ駆動のファンモータであれば周波数で制御する方式、或いはＤＣ駆動のファンモータであれば電圧を制御する方式、或いはまた温度に応じてファンをオン／オフする方式等が挙げられる。より簡便な構成として運転する排気ファン１５の台数を可変させる制御としてもよい。
【００４４】
本実施の形態によれば、撮影前のように発熱量が小さく、架台内温度が低い場合に検出器４を過度に冷却して設定温度以下に下げることなく、安定した撮影を行うことが可能となる。
【００４５】
以上、本発明の例を説明したが、本発明は上述の例に限定されるものではなく、特許請求の範囲に記載された発明の範囲にて様々な変更が可能であることは当業者に理解されよう。
【図面の簡単な説明】
【００４６】
【図１】本発明のＸ線ＣＴ装置の第一の実施の形態の側面断面図である。
【図２】本発明のＸ線ＣＴ装置の第一の実施の形態の正面断面図である。
【図３】本発明のＸ線ＣＴ装置の第二の実施の形態の側面断面図である。
【図４】本発明のＸ線ＣＴ装置の第二の実施の形態の側面断面図である。
【図５】本発明のＸ線ＣＴ装置の第二の実施の形態の正面断面図である。
【図６】本発明のＸ線ＣＴ装置の第三の実施の形態の斜視図である。
【図７】本発明のＸ線ＣＴ装置の第四の実施の形態の側面断面図である。
【図８】本発明のＸ線ＣＴ装置の第五の実施の形態の模式図である。
【図９】従来のＸ線ＣＴ装置の側面断面図である。
【図１０】従来のＸ線ＣＴ装置の正面断面図である。
【図１１】従来のＸ線ＣＴ装置の斜視図である。
【符号の説明】
【００４７】
１…被検者、２…寝台、３…Ｘ線管、４…Ｘ線検出器、５…冷却器、６…高電圧発生装置、７…Ｘ線制御装置、８…アンプ、９…電装品、１０…回転体、１１…回転体駆動手段、１２、１３…電装品、１４…架台、１５…排気ファン、１７…送風ダクト、１８…架台前面カバー、１９…架台前面カバー固定部、２０…寝台昇降部、２１…架台吸気口、２２…温度検出手段、２３…制御装置、２４…電源、３８…電気品、３９…開口部、４０…ポンプ、４１…熱交換器、４２…Ｘ線管冷却器ファン、４３…支持体、４４…遮蔽板、４５…ベルト、４６…シール材
【図１】
2006181187.tif 000003
【図２】
2006181187.tif 000004
【図３】
2006181187.tif 000005
【図４】
2006181187.tif 000006
【図５】
2006181187.tif 000007
【図６】
2006181187.tif 000008
【図７】
2006181187.tif 000009
【図８】
2006181187.tif 000010
【図９】
2006181187.tif 000011
【図１０】
2006181187.tif 000012
【図１１】
2006181187.tif 000013